(57)【要約】【課題】オーバーフロー流路内の水がボウル内へ浸入するのを防止する。【解決手段】洗面台Ａは、底部に排水口１１が開口した貯水用のボウル１０と、排水口１１から排水方向下流側へ延出した排水路１２と、排水路１２から分岐した流入口２５を有するオーバーフロー流路１３と、流入口２５よりも排水方向下流側において排水路１２における水の流れを遮断可能な排水栓３６と、ボウル１０側からオーバーフロー流路１３側への水の流れを許容し、オーバーフロー流路１３側からボウル１０側への水の流れを遮断する逆流防止部材４６とを備える。【選択図】図２
2020045722.tif 000002
【特許請求の範囲】
【請求項１】
底部に排水口が開口した貯水用のボウルと、
前記排水口から排水方向下流側へ延出した排水路と、
前記排水路から分岐した流入口を有するオーバーフロー流路と、
前記流入口よりも排水方向下流側において前記排水路における水の流れを遮断可能な排水栓と、
前記ボウル側から前記オーバーフロー流路側への水の流れを許容し、前記オーバーフロー流路側から前記ボウル側への水の流れを遮断する逆流防止部材とを備えていることを特徴とする洗面台。
【請求項２】
前記逆流防止部材は着脱が可能であることを特徴とする請求項１記載の洗面台。
【請求項３】
前記排水口を覆うように配置される目皿を備えており、
前記逆流防止部材が前記目皿に設けられていることを特徴とする請求項１又は請求項２記載の洗面台。
【請求項４】
前記逆流防止部材が前記流入口に設けられていることを特徴とする請求項１又は請求項２記載の洗面台。
【発明の詳細な説明】
【技術分野】
【０００１】
本発明は、洗面台に関する。
【背景技術】
【０００２】
特許文献１には、底部に排水口が開口した貯水用のボウル（槽体）と、排水口から下方へ延出した排水管と、ボウル内の水が排水管のみを通過して排出される排水経路を遮断するための排水栓（弁部分）と、排水管に接続されたオーバーフロー配管とを備えた洗面台が開示されている。オーバーフロー配管は、排水口の下方において排水管に連通するオーバーフロー分岐口（オーバーフロー排水口）と、オーバーフロー分岐口の下方において排水管に連通するオーバーフロー合流口とを有している。
【０００３】
排水栓は、排水管内に収容され、オーバーフロー分岐口とオーバーフロー合流口の間の高さに設けられている。排水栓によって排水管を閉塞した状態でボウルに水を供給すると、供給された水の一部が、ボウルから排水管のうち排水栓よりも上方の空間に流入し、オーバーフロー分岐口を通ってオーバーフロー配管内に流入するので、ボウル内とオーバーフロー配管内の水位がほぼ同じ高さで上昇する。ボウル内とオーバーフロー配管内が規定水位に達した後は、余剰の水が、オーバーフロー配管からオーバーフロー合流口を経て排水管に排出される。
【先行技術文献】
【特許文献】
【０００４】
【特許文献１】特開２０１１−１１７２２９号公報
【発明の概要】
【発明が解決しようとする課題】
【０００５】
ボウル内とオーバーフロー配管内は、排水管の上端部とオーバーフロー分岐口を介して連通している。そのため、ボウル内に水を溜めて水の供給を停止した状態で、ボウル内で手洗い等の作業をしたときに、ボウル側とオーバーフロー配管側との間で水が行き来し、オーバーフロー配管内の水がボウル内へ流入することになる。オーバーフロー配管内は、排水管から分岐していて清掃がし難いため、汚れが蓄積し易い。そのため、ボウル側とオーバーフロー配管側との間で水が行き来する際に、オーバーフロー配管内の汚水がボウル側へ浸入することが懸念される。
【０００６】
本発明は、上記従来の実情に鑑みてなされたものであって、オーバーフロー流路内の水がボウル内へ浸入するのを防止することを解決すべき課題としている。
【課題を解決するための手段】
【０００７】
本発明は、
底部に排水口が開口した貯水用のボウルと、
前記排水口から排水方向下流側へ延出した排水路と、
前記排水路から分岐した流入口を有するオーバーフロー流路と、
前記流入口よりも排水方向下流側において前記排水路における水の流れを遮断可能な排水栓と、
前記ボウル側から前記オーバーフロー流路側への水の流れを許容し、前記オーバーフロー流路側から前記ボウル側への水の流れを遮断する逆流防止部材とを備えていることを特徴とする。
【発明の効果】
【０００８】
本発明の洗面台は、逆流防止部材を備えているので、オーバーフロー流路内の水がボウル内へ浸入する可能性が低くなる。
【図面の簡単な説明】
【０００９】
【図１】実施例１の洗面台の側断面図
【図２】逆流防止部材の構造をあらわす部分拡大側断面図
【図３】実施例２の洗面台における逆流防止部材の構造をあらわす部分拡大側断面図
【図４】実施例３の洗面台における逆流防止部材の構造をあらわす部分拡大側断面図
【図５】実施例４の洗面台における逆流防止部材の構造をあらわす部分拡大側断面図
【発明を実施するための形態】
【００１０】
本発明は、前記逆流防止部材は着脱が可能であってもよい。この構成によれば、逆流防止部材を取り外すことにより、逆流防止部材の清掃やメンテナンスを行うことができる。
【００１１】
本発明は、前記排水口を覆うように配置される目皿を備えており、前記逆流防止部材が前記目皿に設けられていてもよい。この構成によれば、目皿を排水口から取り外すことによって、逆流防止部材の清掃やメンテナンスを行うことができる。
【００１２】
本発明は、前記逆流防止部材が前記流入口に設けられていてもよい。この構成によれば、オーバーフロー流路内の汚れが排水路の内壁や排水栓に付着することを防止できる。
【００１３】
＜実施例１＞
以下、本発明を具体化した実施例１を図１〜図２を参照して説明する。以下の説明において、上下の方向については、図１，２にあらわれる向きを、そのまま上方、下方とし、前後方向については、図１，２における左方を前方と定義する。
【００１４】
本実施例１の洗面台Ａは、機能的には、水や湯を溜めるためのボウル１０と、ボウル１０の底部に開口する平面視円形の排水口１１と、排水口１１から下方へ延出した形態の排水路１２と、オーバーフロー流路１３と、排水栓３６と、排水口１１を覆い隠す目皿４０と、目皿４０に設けた逆流防止部材４６とを備えている。
【００１５】
排水路１２は、オーバーフロー流路１３を経由せずにボウル１０内の水や湯を排出するための最短排水経路１４を構成するものである。本実施例１において「最短排水経路１４」は、ボウル１０内の水が、オーバーフロー流路１３を経由せずに排水路１２のみを通過して流れる経路である。
【００１６】
オーバーフロー流路１３は、ボウル１０に水や湯を溜めたときに水や湯がボウル１０の上端開口縁から溢れ出すのを防止するための手段である。逆流防止部材４６は、オーバーフロー流路１３内の異物がボウル１０内へ侵入するのを防止する手段である。排水栓３６は、円盤状をなし、ボウル１０に水や湯を溜める際に、最短排水経路１４の途中を水流遮断状態にするためのものである。
【００１７】
洗面台Ａは、部品構成的には、陶器製の洗面台本体１５と、洗面台本体１５の上面に設置された水栓金具１９と、円筒形をなす排水管２０と、連通管２６と、湾曲管２８と、フロート弁３１と、排水栓３６と、目皿４０とを備えて構成されている。洗面台本体１５には、ボウル１０と、排水口１１と、筒状取付部１６と、上昇流路１７と、収容空間１８とが形成されている。筒状取付部１６は、排水口１１から鉛直方向下方へ突出した形態である。筒状取付部１６には、排水管２０の上端部が、ナット２１のねじ込みにより接続されている。
【００１８】
排水管２０の内部空間は、排水口１１を介してボウル１０内に連通する排水路１２として機能する。筒状取付部１６の内周と排水管２０の上端部外周との間は、円環状（円筒状）をなす連通空間２２となっている。排水管２０の上端部には、排水路１２と連通空間２２とを連通させるための複数（例えば、２つ）の流出孔２３が、周方向に間隔を空けて形成されている。排水管２０の内周における流出孔２３よりも下方（排水方向下流側）の位置には、上方（排水口１１側）に面するテーパ状の弁座２４が形成されている。本実施例１において「排水方向」は、最短排水経路１４における水の流れの向きである。
【００１９】
上昇流路１７は、ボウル１０を構成する底壁部及び後壁部の外面に沿って側面視略Ｌ字形に形成された孔状に形成されている。上昇流路１７はオーバーフロー流路１３を構成するものであり、上昇流路１７の下端部（オーバーフロー方向上流端）は、筒状取付部１６の後面部に連なる流入口２５となっている。流入口２５は、筒状取付部１６の内部空間（連通空間２２）を介して排水管２０（排水路１２）の上端部と連通するように開口している。
【００２０】
流入口２５の開口位置は、上下方向において排水管２０の流出孔２３と対向し、且つ上下方向において弁座２４よりも上方（排水方向上流側）の位置である。本実施例１において「オーバーフロー方向」は、水が、流入口２５から上昇流路１７、後述する折返流路２７と下降流路２９を順に経て合流部３０に至る経路で流れる方向である。
【００２１】
収容空間１８は、洗面台本体１５のうちボウル１０の後方上端部に配置され、下方へ開放されている。収容空間１８内には連通管２６が収容されている。連通管２６は、側面視形状が上下逆向きの略Ｌ字形をなす部品であり、オーバーフロー流路１３を構成する。連通管２６の内部は折返流路２７となっている。連通管２６（折返流路２７）の両端部のうち前方を向いた一端部は、上昇流路１７の上端部（オーバーフロー方向下流端）に連通状態で接続されている。連通管２６の下向きに開口する他端部（オーバーフロー方向下流端）には、洗面台本体１５の外部下方に配置された湾曲管２８の上端部が接続されている。
【００２２】
湾曲管２８はオーバーフロー流路１３を構成する部品であり、湾曲管２８の内部は下降流路２９となっている。下降流路２９の上端部（オーバーフロー方向上流端）は、折返流路２７の下端部（オーバーフロー方向下流端）に接続されている。下降流路２９の下端部（オーバーフロー方向下流端）は、流入口２５及び弁座２４よりも下方に位置する合流部３０となっている。合流部３０は、排水路１２（最短排水経路１４）と連通した状態で排水管２０に接続されている。
【００２３】
フロート弁３１は、収容空間１８内に収容され、連通管２６の上面に取り付けられている。フロート弁３１は、弁室３２と、弁室３２内に収容され比重が水よりも小さい球形の弁体３３と、弁室３２の下端部に形成されて折返流路２７（オーバーフロー流路１３）と連通可能な下部弁口３４と、弁室３２の上端部に形成されて収容空間１８と連通可能な上部弁口３５とを有する。
【００２４】
排水栓３６は、平面視形状が円形をなす部品である。排水栓３６の外径は、弁座２４の最小内径よりも大きい寸法に設定されている。排水栓３６の外周下端部は、弁座２４に対して面当たり状態で当接可能なテーパ状の弁機能部３７となっている。排水栓３６は、排水口１１から排水路１２内に収容され、弁機能部３７を弁座２４に当接させる閉弁位置と、弁機能部３７を弁座２４よりも上方へ離間させる開弁位置との間で上下動し得るようになっている。排水栓３６が閉弁位置にある状態では、排水路１２内における水や湯の流動が規制される。排水栓３６が開弁位置にある状態では、排水路１２内における水や湯の流動が許容される。
【００２５】
排水栓３６を開弁位置と閉弁位置との間で昇降させる手段としては、洗面台本体１５の上面に設けた操作部（図示省略）と、排水栓３６の下面との間にコントロールケーブル（図示省略）を配索する方法がある。コントロールケーブルの上向きの作動端で排水栓３６の下面を押し上げれば、排水栓３６を開弁位置へ変位させることができる。コントロールケーブルの作動端を下方へ退避させれば、排水栓３６が排水栓３６の自重により閉弁位置へ下降する。
【００２６】
コントロールケーブルとは別の手段としては、排水栓３６の下面に永久磁石（図示省略）を一体的に取り付けるとともに、排水管２０の外面に永久磁石（図示省略）を設ける方法もある。排水管２０側の永久磁石の向きを変えることにより、双方の永久磁石の間に生じる磁力が、磁気吸引力と磁気反発力とに切り替わるようにすれば、排水栓３６を開弁位置と閉弁位置との間で変位させることができる。
【００２７】
目皿４０は、平面視円形の平板状をなす覆い部４１と、筒状嵌合部４２とを有する単一部品である。覆い部４１の外径は、排水口１１の最大内径と概ね同じ寸法に設定されている。筒状嵌合部４２は、覆い部４１の下面から同心円筒状に延出した形態である。筒状嵌合部４２の外径は覆い部４１の外径よりも小さい。筒状嵌合部４２は、筒状嵌合部４２の上端側部位を構成する正多角形の角筒部４３と、筒状嵌合部４２の下端側領域を構成する円筒部４４とから構成されている。角筒部４３には、筒状嵌合部４２の外周から内周へ貫通した形態の複数（例えば、４つ）の流入孔４５が、周方向に間隔を空けて形成されている。
【００２８】
目皿４０には、目皿４０とは別体の部品であって、逆止弁としての機能を発揮する複数（流入孔４５と同数）の逆流防止部材４６が取り付けられている。各逆流防止部材４６は、夫々、角筒部４３の内周面側から対応する流入孔４５の開口領域全体を覆う形状及び大きさを有している。逆流防止部材４６の上端部は、覆い部４１の下面に設けた揺動軸４７に支持されている。揺動軸４７は、各流入孔４５の開口縁のうち上縁部に沿って配置されている。
【００２９】
逆流防止部材４６は、揺動軸４７を支点として、流入孔４５の開口領域を閉塞する閉弁位置（図２に実線で示す）と、角筒部４３の内面から内側へ揺動して流入孔４５を開放状態にする開弁位置（図２に想像線で示す）との間で揺動可能である。逆流防止部材４６は、揺動軸４７に取り付けた付勢手段としてのねじりコイルばね４８により、常に、閉塞位置方向へ付勢されている。逆流防止部材４６とねじりコイルばね４８はフラッパー弁を構成する。
【００３０】
目皿４０は、排水口１１の上方から筒状嵌合部４２を排水管２０内に嵌合することにより、ボウル１０に取り付けられている。目皿４０を取り付けた状態では、円筒部４４が排水口１１の内周面に殆ど隙間なく嵌合し、覆い部４１が排水口１１のほぼ全体を上から覆い隠すように位置する。筒状嵌合部４２のうち流入孔４５が開口する角筒部４３は排水口１１の上方に位置しており、ボウル１０内の水は、流入孔４５から筒状嵌合部４２内に流入し得るようになっている。
【００３１】
通常の使用時には、図２に想像線で示すように、排水栓３６が開弁位置に保持され、弁機能部３７が弁座２４の上方へ離間した状態となる。この状態でボウル１０内に供給された水や湯は、水圧により逆流防止部材４６を押して開放位置へ揺動させ、流入孔４５から筒状嵌合部４２内に流入し、弁座２４と弁機能部３７との隙間を通る最短排水経路１４で排出される。
【００３２】
ボウル１０内に水や湯を溜める際には、図２に実線で示すように、排水栓３６を開弁位置から閉弁位置へ下降させ、弁機能部３７を弁座２４に当接させる。排水栓３６が閉弁位置に変位すると、最短排水経路１４は、流入口２５と合流部３０との間において水や湯の流動（排出）を遮断される。ボウル１０内に水や湯を供給すると、ボウル１０内の水位が上昇していくとともに、ボウル１０内の水圧によって逆流防止部材４６が開放位置へ揺動し、水や湯の一部がオーバーフロー流路１３の上昇流路１７内に流入する。
【００３３】
このとき、オーバーフロー流路１３内の空気は、フロート弁３１の下部弁口３４、弁室３２、上部弁口３５、収容空間１８を介して外気へ放出されるので、オーバーフロー流路１３の上昇流路１７内の水位は、ボウル１０内の水位と同様に上昇していく。
【００３４】
ボウル１０内とオーバーフロー流路１３内の水位が規定水位（上昇流路１７の上端）に達した後は、余剰の水が、折返流路２７を経由して下降流路２９内を流下し、合流部３０から排水路１２へ流入して排出される。したがって、ボウル１０内の水や湯がボウル１０の上端外周縁から溢れ出ることはない。ボウル１０内への水や湯の供給流量が大きく、折返流路２７内の水位がフロート弁３１の弁室３２に達した場合は、弁体３３が浮力により上昇して上部弁口３５を閉塞するので、オーバーフロー流路１３内の水や湯がオーバーフロー流路１３の外部（収容空間１８内）へ漏出する可能性が低くなる。
【００３５】
ボウル１０内に水や湯を溜めた後、ボウル１０への水や湯の供給を停止すると、ボウル１０内の水圧とオーバーフロー流路１３内の水圧が均衡状態となるので、逆流防止部材４６はねじりコイルばね４８の付勢により閉塞位置へ変位する。これにより、流入孔４５が閉塞される。
【００３６】
ボウル１０内に水や湯を溜めて手洗い洗濯等を行った場合、ボウル１０とオーバーフロー流路１３との間で水や湯が行き来するようになっていると、オーバーフロー流路１３内に蓄積している汚れが、ボウル１０内に侵入することが懸念される。この対策として、本実施例１では、目皿４０（ボウル１０とオーバーフロー流路１３との間の流動経路の途中）に、ねじりコイルばね４８で閉塞方向へ付勢された逆流防止部材４６を設けている。
【００３７】
閉塞状態の逆流防止部材４６は、筒状嵌合部４２の外側（ボウル１０側）からの押圧力を受けると、ねじりコイルばね４８の付勢に抗して開放位置側へ揺動するが、筒状嵌合部４２の内側（オーバーフロー流路１３側）からの押圧力を受けたときには、筒状嵌合部４２の内面に押し付けられるので閉塞状態を保つ。したがって、オーバーフロー流路１３側の水圧が、ボウル１０側の水圧と同じか、ボウル１０側の水圧よりも高くなったときには、流入孔４５が逆流防止部材４６によって閉塞された状態に保たれるので、オーバーフロー流路１３側の水や湯が、排水口１１と流入孔４５を通ってボウル１０内に逆流する可能性が低くなる。
【００３８】
本実施例１の洗面台Ａは、底部に排水口１１が開口した貯水用のボウル１０と、排水口１１から排水方向下流側へ延出した排水路１２と、排水路１２から分岐した流入口２５を有するオーバーフロー流路１３と、流入口２５よりも排水方向下流側において排水路１２における水の流れを遮断可能な排水栓３６と、逆流防止部材４６とを有する。逆流防止部材４６は、ボウル１０側からオーバーフロー流路１３側への水の流れを許容するが、オーバーフロー流路１３側からボウル１０側への水の流れは遮断する。このような逆流防止部材４６を設けたことにより、オーバーフロー流路１３内の水がボウル１０内へ浸入することを防止できる。
【００３９】
逆流防止部材４６は目皿４０に取り付けられており、目皿４０は、排水路１２の上端の排水口１１（目皿４０を支持する部位）に対して着脱が可能である。したがって、逆流防止部材４６も、排水口１１（目皿４０を介して逆流防止部材４６を支持する部位）に対して着脱が可能である。目皿４０と一緒に逆流防止部材４６を取り外すことにより、逆流防止部材４６の清掃やメンテナンスを行うことができる。
【００４０】
＜実施例２＞
次に、本発明を具体化した実施例２を図３を参照して説明する。本実施例２の洗面台Ｂは、目皿５０と逆流防止部材５８を上記実施例１とは異なる構成としたものである。その他の構成については上記実施例１と同じであるため、同じ構成については、同一符号を付し、構造、作用及び効果の説明は省略する。
【００４１】
本実施例２の目皿５０は、平面視円形の平板状をなす覆い部５１と、筒状嵌合部５２とを有する単一部品である。覆い部５１の外径は、排水口１１の最大内径と概ね同じ寸法に設定されている。筒状嵌合部５２は、覆い部５１の下面から同心円筒状に延出した形態である。筒状嵌合部５２の外径は覆い部５１の外径よりも小さい。
【００４２】
筒状嵌合部５２の上端部には、筒状嵌合部５２の外周から内周へ貫通した形態の複数（例えば、４つ）の流入孔５３が、周方向に間隔を空けて形成されている。筒状嵌合部５２の内周には、平面視形状が筒状嵌合部５２と同心の円環形をなす縮径部５４が形成されている。縮径部５４は、筒状嵌合部５２のうち流入孔５３の下端縁に沿った位置から、全周に亘って径方向内側へ突出した形態である。縮径部５４の中心孔は連通孔５５となっている。
【００４３】
筒状嵌合部５２の内部空間のうち連通孔５５よりも上方の空間は、流入孔５３を介して筒状嵌合部５２の外部と連通する上部空間５６となっている。筒状嵌合部５２の内部空間のうち連通孔５５よりも下方の空間は、筒状嵌合部５２の下面の開口を介して筒状嵌合部５２の外部と連通する下部空間５７となっている。
【００４４】
目皿５０には、目皿５０とは別体の部品であって、逆止弁としての機能を発揮する逆流防止部材５８が取り付けられている。逆流防止部材５８は、連通孔５５の開口領域よりも大径の略円板状をなし、縮径部５４の前端部下面に設けた左右方向の揺動軸５９に支持されている。逆流防止部材５８は、揺動軸５９を支点として、縮径部５４の下面に当接して連通孔５５を閉塞することにより上部空間５６と下部空間５７とを仕切る閉塞位置と、縮径部５４から下方へ離間して連通孔５５を開放することにより上部空間５６と下部空間５７とを連通させる開放位置との間で上下方向へ揺動し得るようになっている。逆流防止部材５８は、揺動軸５９に取り付けた付勢手段としてのねじりコイルばね６０により、常に、閉塞位置方向へ付勢されている。逆流防止部材５８とねじりコイルばね６０はフラッパー弁を構成する。
【００４５】
目皿５０は、排水口１１の上方から筒状嵌合部５２を排水管２０内に嵌合することにより、ボウル１０に取り付けられている。目皿５０を取り付けた状態では、覆い部５１が排水口１１のほぼ全体を上から覆い隠すように位置する。筒状嵌合部５２のうち流入孔５３が開口する上端部領域（上部空間５６）は、排水管２０の上方に位置しており、ボウル１０内の水は、流入孔５３から上部空間５６（筒状嵌合部５２）内に流入し得るようになっている。
【００４６】
通常の使用時には、図３に想像線で示すように、排水栓３６が開弁位置に保持され、弁機能部３７が弁座２４の上方へ離間した状態となる。この状態では、ボウル１０内の水や湯は、排水口１１と流入孔５３を順に通過して上部空間５６内に流入し、水圧で逆流防止部材５８を開放位置へ揺動させることにより連通孔５５から下部空間５７内に流入し、更に弁座２４と弁機能部３７との隙間を通る最短排水経路１４で排出される。
【００４７】
ボウル１０内に水や湯を溜める際には、排水栓３６を開弁位置から閉弁位置へ下降させ、弁機能部３７を弁座２４に当接させる。排水栓３６が閉弁位置に変位すると、最短排水経路１４は、流入口２５と合流部３０との間において水や湯の流動（排出）を遮断される。ボウル１０内に水や湯を供給すると、ボウル１０内の水位が上昇していくとともに、ボウル１０内の水圧によって逆流防止部材５８が開放位置へ下降し、水や湯の一部がオーバーフロー流路１３の上昇流路１７内に流入する。
【００４８】
ボウル１０に水や湯を溜めて手洗い洗濯等を行う際に、ボウル１０とオーバーフロー流路１３との間で水や湯が行き来するようになっていると、オーバーフロー流路１３内の汚れがボウル１０内に侵入することが懸念される。この対策として、本実施例２では、目皿５０（ボウル１０とオーバーフロー流路１３との間の流動経路の途中）に、ねじりコイルばね６０で閉塞方向へ付勢された逆流防止部材５８を設けている。
【００４９】
閉塞状態の逆流防止部材５８は、上部空間５６側（ボウル１０側）からの押圧力を受けると、ねじりコイルばね６０の付勢に抗して開放位置側へ揺動するが、下部空間５７側（オーバーフロー流路１３側）からの押圧力を受けたときには、縮径部５４の下面に押し付けられるので閉塞状態を保つ。したがって、オーバーフロー流路１３側の水圧が、ボウル１０側の水圧と同じか、ボウル１０側の水圧よりも高くなったときには、連通孔５５が逆流防止部材５８によって閉塞された状態に保たれるので、オーバーフロー流路１３側の水や湯が、排水口１１と流入孔５３を通ってボウル１０内に逆流する可能性が低くなる。
【００５０】
＜実施例３＞
次に、本発明を具体化した実施例３を図４を参照して説明する。本実施例３の洗面台Ｃは、目皿６１と逆流防止部材６６を上記実施例１とは異なる構成としたものである。その他の構成については上記実施例１と同じであるため、同じ構成については、同一符号を付し、構造、作用及び効果の説明は省略する。
【００５１】
本実施例３の目皿６１は、覆い部６２から下方へ突出する筒状嵌合部６３を有する。筒状嵌合部６３の内周のうち流入孔６４よりも下方の位置には、径方向内側へ縮径するように突出した形態の係止突起６５が形成されている。逆止弁として機能する逆流防止部材６６は、ゴムやエラストマー等の弾性を有する材料からなり、円筒状の筒状本体部６７とくちばし状の弾性弁体部６９とを有するダックビル弁と称される形態の単一部材である。
【００５２】
筒状本体部６７の外周には係止溝６８が形成されている。弾性弁体部６９は、筒状本体部６７から下方へ突出し、側面視においてテーパ状下向きに尖った形状をなす。弾性弁体部６９の下端部（突出端部）には、左右方向に延びるスリット状の弁口７０が形成されている。弾性弁体部６９に外力が作用していない自由状態では、弁口７０が閉塞した閉弁状態に保持されている。
【００５３】
逆流防止部材６６は、係止溝６８を係止突起６５に嵌合することにより、目皿６１の筒状嵌合部６３の内周に取り付けられている。弾性弁体部６９が閉弁した状態では、目皿６１（筒状嵌合部６３）の内部空間と、目皿６１（筒状嵌合部６３）の下方の空間（排水路１２のうち流出孔２３を介して流入口２５と連通する空間）とが逆流防止部材６６によって仕切られた状態となる。
【００５４】
この状態で、ボウル１０側（逆流防止部材６６よりも上方の筒状嵌合部６３内）の水圧がオーバーフロー流路１３側（逆流防止部材６６よりも下方の空間）の水圧よりも高くなると、弾性弁体部６９が、上から押されて弁口７０を開く方向へ弾性変形するので、開弁状態となる。したがって、ボウル１０から最短排水経路１４を通る排水動作や、ボウル１０側からオーバーフロー流路１３側に向かう水や湯の流動が許容される。
【００５５】
弾性弁体部６９が閉弁している状態において、オーバーフロー流路１３側（逆流防止部材６６よりも下方の空間）の水圧がボウル１０側（逆流防止部材６６よりも上方の筒状嵌合部６３内）の水圧よりも高くなると、弾性弁体部６９が弁口７０を閉塞する方向へ押されるので、弾性弁体部６９は閉弁状態を保ったままとなる。したがって、オーバーフロー流路１３内の水や湯がボウル１０内へ流入する可能性が低くなる。
【００５６】
目皿６１を排水口１１から取り外すと、目皿６１に取り付けられている逆流防止部材６６も一緒に取り外す事ができる。さらに、逆流防止部材６６は、弾性材料からなり、係止溝６８を係止突起６５に係止させることによって目皿６１に取り付けられているので、逆流防止部材６６を目皿６１から取りはずすこともできる。したがって、目皿６１と逆流防止部材６６の清掃やメンテナンスの作業を行い易い。
【００５７】
＜実施例４＞
次に、本発明を具体化した実施例４を図５を参照して説明する。本実施例４の洗面台Ｄは、目皿７１と逆流防止部材７５を上記実施例１とは異なる構成としたものである。その他の構成については上記実施例１と同じであるため、同じ構成については、同一符号を付し、構造、作用及び効果の説明は省略する。
【００５８】
本実施例４の目皿７１は、実施例１の目皿４０と同様、覆い部７２と筒状嵌合部７３と流入孔７４とを有する単一部品であるが、実施例１の目皿７１とは異なり、逆止弁としての機能は備えていない。
【００５９】
逆止弁として機能する逆流防止部材７５は、オーバーフロー流路１３の流入口２５に取り付けられている。逆流防止部材７５は、上昇流路１７（洗面台本体１５）とは別体の部品であって、排水路１２（排水管２０）における流入口２５の開口部（分岐口７６）よりも大径の略円板状をなす。流入口２５の内周における上端部には、下方へ突出した当接部７７が形成されている。流入口２５の内周における下端部には、軸線を左右方向に向けた揺動軸７８が設けられている。揺動軸７８には、逆流防止部材７５の下端部が前後方向への揺動を可能に支持されている。
【００６０】
逆流防止部材７５は、揺動軸７８を支点として、閉塞位置と、閉塞位置よりも後方の開放位置との間で揺動する。揺動軸７８には、付勢手段としてのねじりコイルばね７９が取り付けられている。ねじりコイルばね７９により、逆流防止部材７５は、常に閉塞位置方向へ付勢されている。逆流防止部材７５とねじりコイルばね７９はフラッパー弁を構成する。
【００６１】
逆流防止部材７５が閉塞位置にある状態では、逆流防止部材７５の上端部が当接部７７の後面（上昇流路１７に臨む面）に当接し、分岐口７６を閉塞する。これにより、排水路１２（最短排水経路１４）と上昇流路１７（オーバーフロー流路１３）とが仕切られる。逆流防止部材７５が開放位置にある状態では、逆流防止部材７５が当接部７７から離間して上昇流路１７内へ後退し、分岐口７６を開放させる。これにより、排水路１２（最短排水経路１４）と上昇流路１７（オーバーフロー流路１３）とが連通した状態となる。
【００６２】
目皿７１は、排水口１１の上方から筒状嵌合部７３を排水管２０内に嵌合することにより、ボウル１０に取り付けられている。目皿７１を取り付けた状態では、覆い部７２が排水口１１のほぼ全体を上から覆い隠すように位置し、筒状嵌合部７３が流出孔２３及び逆流防止部材７５よりも上方に位置する。
【００６３】
通常の使用時には、図５に想像線で示すように、排水栓３６が開弁位置に保持され、弁機能部３７が弁座２４の上方へ離間した状態となる。この状態では、ボウル１０内に供給された水や湯は、排水口１１と流入孔７４と筒状嵌合部７３を順に通過し、更に弁座２４と弁機能部３７との隙間を通る最短排水経路１４で排出される。
【００６４】
ボウル１０内に水や湯を溜める際には、図５に実線で示すように、排水栓３６を開弁位置から閉弁位置へ下降させ、弁機能部３７を弁座２４に当接させる。排水栓３６が閉弁位置に変位すると、最短排水経路１４は、流入口２５と合流部３０との間において水や湯の流動（排出）が遮断される。ボウル１０内に水や湯を供給すると、ボウル１０内の水位が上昇していくとともに、ボウル１０内の水圧によって逆流防止部材７５が開放位置へ揺動し、水や湯の一部が、分岐口７６からオーバーフロー流路１３の上昇流路１７内に流入する。
【００６５】
ボウル１０の水や湯を溜めて手洗い洗濯等を行う際に、ボウル１０とオーバーフロー流路１３との間で水や湯が行き来するようになっていると、オーバーフロー流路１３内の汚れがボウル１０内に侵入することが懸念される。この対策として、本実施例４では、ボウル１０とオーバーフロー流路１３との間の流動経路の途中に位置する分岐口７６に、ねじりコイルばね７９で閉塞方向へ付勢された逆流防止部材７５を設けている。
【００６６】
閉塞状態の逆流防止部材７５は、排水路１２側（ボウル１０側）からの押圧力を受けると、ねじりコイルばね７９の付勢に抗して開放位置側（上昇流路１７内）へ揺動して、分岐口７６を開放させる。しかし、逆流防止部材７５がオーバーフロー流路１３側（上昇流路１７側）からの押圧力を受けたときには、逆流防止部材７５の上端部が当接部７７の後面に押し付けられるので、逆流防止部材７５は分岐口７６を閉塞する状態を保つ。
【００６７】
したがって、オーバーフロー流路１３側の水圧が、ボウル１０側の水圧と同じか、ボウル１０側の水圧よりも高くなったときには、分岐口７６が逆流防止部材７５によって閉塞された状態に保たれるので、オーバーフロー流路１３側の水や湯が、排水口１１と流入孔７４を通ってボウル１０内に逆流する可能性が低くなる。
【００６８】
逆流防止部材７５は、排水路１２とオーバーフロー流路１３との境界である分岐口７６（排水路１２における流入口２５の開口部）に設けられているので、オーバーフロー流路１３内の汚れが、排水路１２の内壁や、排水路１２内に設けられている排水栓３６や弁座２４に付着することを防止できる。
【００６９】
＜他の実施例＞
本発明は上記記述及び図面によって説明した実施例に限定されるものではなく、例えば次のような実施例も本発明の技術的範囲に含まれる。
（１）上記実施例１〜４では、排水路が管状部材で構成されているが、排水路は、ボウルと一体形成された部材を孔状に穿孔した形態であってもよい。
（２）上記実施例１〜４では、排水路が、排水口から鉛直方向下方へ直線状に延出しているが、排水路は、鉛直方向に対して斜め方向へ直線状に延出した形態でもよく、屈曲した経路で延出した形態でもよい。
（３）上記実施例１〜４では、オーバーフロー流路のうち流入口から上昇する上昇流路が、ボウルと一体に成形され、オーバーフロー流路のうち上昇流路の上端から合流部に至る下降流路が、ボウルとは別体の部品として成形されているが、オーバーフロー流路の全体をボウルと一体に成形してもよく、オーバーフロー流路の全体をボウルと別体の部品としてもよい。
（４）上記実施例１〜４では、オーバーフロー流路が排水管に連通する合流部を有しているが、オーバーフロー流路の排水方向下流端は、排水管に連通せず、排水管とは別の経路で下水道に連通していてもよい。
（５）上記実施例１〜３では、逆流防止部材をボウル、排水路、オーバーフロー流路に対して着脱可能としたが、逆流防止部材は、ボウル、排水路、オーバーフロー流路に対して着脱不能に設けられていてもよい。
（６）上記実施例４において、揺動可能なフラップに替えて、実施例３のダックビル弁を流入口に設けてもよい。この場合、ダックビル弁を流入口に対して着脱可能としてもよい。
【符号の説明】
【００７０】
Ａ，Ｂ，Ｃ，Ｄ…洗面台
１０…ボウル
１１…排水口
１２…排水路
１３…オーバーフロー流路
２５…流入口
３６…排水栓
４０，５０，６１，７１…目皿
４６，５８，６６，７５…逆流防止部材
【図１】
2020045722.tif 000003
【図２】
2020045722.tif 000004
【図３】
2020045722.tif 000005
【図４】
2020045722.tif 000006
【図５】
2020045722.tif 000007